(57)【要約】【課題】定形の屋外側縦シール材を用いて縦目地の屋外側寄りを水密できるし、左右に隣接したパネルユニットの面内方向、面外方向の位置ずれがあっても縦目地の水密性が低下しないカーテンウォールとする。【解決手段】左右に隣接した一方のパネルユニット１の第１縦材１２と、他方のパネルユニット１の第２縦材１３で縦目地２を形成し、前記第１・第２縦材１２，１３は、その屋外側寄りに凹部２３，２４を相対向して有し、この凹部２３，２４内に屋外側縦シール材７の左右両側部を押し込んで凹部内面にそれぞれ接触して縦目地２の屋外側寄りを水密し、前記屋外側縦シール材７は定形で弾性を有するシール材で、面内方向、面外方向に伸縮変形可能で、前記左右に隣接したパネルユニット１が面内方向、面外方向に位置ずれした時にも凹部内面に接触し続けて水密性を維持するようにする。【選択図】図３
2007063845.tif 000002
【特許請求の範囲】
【請求項１】
上横材と下横材と第１縦材と第２縦材を方形状に連結した枠体に面材を装着したパネルユニットを、上下方向、左右方向に順次連続して建物躯体に複数取付け、その左右に隣接した一方のパネルユニットの第１縦材と他方のパネルユニットの第２縦材との間に縦目地を形成したカーテンウォールにおいて、
前記第１縦材、第２縦材の屋内側寄りにそれぞれ装着した屋内側シール材を接触して縦目地の屋内側寄りを水密し、
前記第１縦材の屋外側寄り外面と第２縦材の屋外側寄り外面に、屋外側縦シール材の左右両側部分をそれぞれ接触することで、前記縦目地の屋外側寄りを水密し、
前記屋外側縦シール材は定形で弾性を有したシール材で、かつ面内方向及び面外方向に伸縮変形可能で、前記縦目地を形成する第１縦材と第２縦材が面内方向、面外方向の位置ずれに追従して伸縮変形して常時前記第１縦材、第２縦材に接触していることを特徴とするカーテンウォール。
【請求項２】
縦目地を形成する第１縦材、第２縦材は、その屋外寄りに凹部を相対向して有し、
一側シール片と他側シール片を有する屋外側縦シール材とし、
その一側シール片を第１縦材の凹部内面に接触すると共に、他側シール片を第２縦材の凹部内面に接触することで第１縦材と第２縦材の屋外側寄り部分を水密した請求項１記載のカーテンウォール。
【請求項３】
第１縦材の凹部と第２縦材の凹部は上横材の屋外側面よりも屋外側に位置し、左右に隣接したパネルユニットを建物躯体に取付けた状態で、屋外側縦シール材を第１・第２縦材の凹部間に上から下に向けて挿入して取付けできるようにした請求項２記載のカーテンウォール。
【請求項４】
左右に隣接した第１縦材と第２縦材の上部間に亘って、前記各凹部の上部を閉塞する排水用のキャッチパンを取付けた請求項３記載のカーテンウォール。
【発明の詳細な説明】
【技術分野】
【０００１】
本発明は、建物の外壁を構成するカーテンウォールに関する。
【背景技術】
【０００２】
従来から、複数のパネルユニットを建物躯体に上下方向、左右方向に連続して取付けて建物の外壁を構成するカーテンウォールが知られている。
このようなカーテンウォールにおいては、左右に隣接したパネルユニット間の縦目地から雨水等が建物躯体側、つまり屋内側に浸入しないように水密している。
例えば、特許文献１に開示されたカーテンウォールにおいては、左右に隣接した一方のパネルユニットの縦フレームと他方のパネルユニットの縦フレーム間を屋内側のウエザーストリップと、屋外側のパネルジョイントシールで水密し、その左右の縦フレーム間（つまり、縦目地）から雨水等が屋内側に浸入しないようにしている。
【０００３】
【特許文献１】特許第２９５０２０２号公報
【発明の開示】
【発明が解決しようとする課題】
【０００４】
前述した従来のカーテンウォールの縦目地の水密のやり方では、屋外側のパネルジョイントシールが不定形シール材であるから、そのシール材の施工性が悪いと共に、信頼性が低い。
【０００５】
このことを解消するには定形シール材を用いれば良いが、定形シール材を用いると、左右に隣接したパネルユニットが屋内・外側方向（つまり、面外方向）、屋内・外側方向と直交する方向（つまり、面内方向）に位置ずれした時に、その定形シール材が左右に隣接したパネルユニットに正しく接触しないことがあり、その定形シール材とパネルユニットとの間から雨水等が浸入するから、縦目地の水密性が低下する。
【０００６】
本発明の目的は、定形シール材を用いると共に、左右の隣接したパネルユニットが面外方向、面内方向に位置ずれした時に縦目地の水密性が低下することがないカーテンウォールを提供することである。
【課題を解決するための手段】
【０００７】
本発明は、上横材と下横材と第１縦材と第２縦材を方形状に連結した枠体に面材を装着したパネルユニットを、上下方向、左右方向に順次連続して建物躯体に複数取付け、その左右に隣接した一方のパネルユニットの第１縦材と他方のパネルユニットの第２縦材との間に縦目地を形成したカーテンウォールにおいて、
前記第１縦材、第２縦材の屋内側寄りにそれぞれ装着した屋内側シール材を接触して縦目地の屋内側寄りを水密し、
前記第１縦材の屋外側寄り外面と第２縦材の屋外側寄り外面に、屋外側縦シール材の左右両側部分をそれぞれ接触することで、前記縦目地の屋外側寄りを水密し、
前記屋外側縦シール材は定形で弾性を有したシール材で、かつ面内方向及び面外方向に伸縮変形可能で、前記縦目地を形成する第１縦材と第２縦材が面内方向、面外方向の位置ずれに追従して伸縮変形して常時前記第１縦材、第２縦材に接触していることを特徴とするカーテンウォールである。
【０００８】
本発明においては、縦目地を形成する第１縦材、第２縦材は、その屋外寄りに凹部を相対向して有し、
一側シール片と他側シール片を有する屋外側縦シール材とし、
その一側シール片を第１縦材の凹部内面に接触すると共に、他側シール片を第２縦材の凹部内面に接触することで第１縦材と第２縦材の屋外側寄り部分を水密することができる。
【０００９】
このようにすれば、第１縦材と第２縦材の面内方向の位置ずれに対応して屋外側縦シール材が面内方向に確実に伸縮して凹部内面に接触し続け、面外方向の位置ズレに対応して屋外側縦シール材が面外方向に確実に伸縮して凹部内面に接触し続けるので、第１縦材と第２縦材の屋外側寄り間を常に確実に水密できる。
【００１０】
本発明においては、前述のように第１・第２縦材が凹部を有する場合には、第１縦材の凹部と第２縦材の凹部は上横材の屋外側面よりも屋外側に位置し、左右に隣接したパネルユニットを建物躯体に取付けた状態で、屋外側縦シール材を第１・第２縦材の凹部間に上から下に向けて挿入して取付けできるようにすることができる。
【００１１】
このようにすれば、左右方向に順次パネルユニットを取付け、その状態で左右に隣接したパネルユニットの第１・第２縦材の凹部間に屋外側縦シール材を上から下に向けて挿入して取付けできるから、施工性が向上する。
【００１２】
本発明においては、前述のように第１・第２縦材が凹部を有する形状の場合には、左右に隣接した第１縦材と第２縦材の上部間に亘って、前記各凹部の上部を閉塞する排水用のキャッチパンを取付けることができる。
【００１３】
このようにすれば、第１・第２縦材の凹部と屋外側シール材の屋外側面との間に浸入した雨水は、その凹部に沿って流れ落ち、下のパネルユニットの排水用のキャッチパンから屋外側に排水される。
【発明の効果】
【００１４】
本発明によれば、縦目地の屋外側寄りを水密する屋外側縦シール材が乾式であるから、施工性が良い。
【００１５】
また、屋外側縦シール材は面内方向、面外方向に伸縮変形可能で、左右に隣接した第１縦材と第２縦材の面内方向、面外方向の位置ずれに追従して伸縮変形するから、常時第１縦材、第２縦材に接触し続けることができ、縦目地の水密性が低下することがない。
【発明を実施するための最良の形態】
【００１６】
図１はカーテンウォールの一部を示す外観図で、複数のパネルユニット１を上下方向、左右方向に順次連続して建物躯体（図示せず）に取付けて建物の外壁を構成する。
前記左右に隣接するパネルユニット１間に縦目地２を形成し、上下に隣接するパネルユニット１間に横目地３を形成している。
前記パネルユニット１は、上横材１０と下横材１１と左右一方の第１縦材１２と左右他方の第２縦材１３を枠組みした枠体１４にガラス、パネルなどの面材１５が装着してある。
そして、左右に隣接した一方のパネルユニット１の第１縦材１２と他方のパネルユニット１の第２縦材１３との間に縦目地２を形成し、上下に隣接した一方のパネルユニット１の上横材１０と他方のパネルユニット１の下横材１１との間に横目地３を形成している。
【００１７】
図２、図３に示すように、上横材１０、下横材１１、第１縦材１２、第２縦材１３の屋内側寄り部分に、ウインドバリアと呼ばれる屋内側シール材４が四周連続して装着してある。
そして、上下・左右に隣接したパネルユニット１の各屋内側シール材４相互が接し、前述の縦目地２の屋内側寄り部分及び前述の横目地３の屋内側寄り部分をそれぞれ水密している。
【００１８】
図２に示すように、上下に隣接する上のパネルユニット１の下横材１１の屋外側寄りに屋外側横シール材５が装着され、この屋外側横シール材５は下のパネルユニット１の上横材１０の屋外側寄り上面に接し、前述の横目地３の屋外側寄り部分を水密している。
そして、前記横目地３の屋内側寄り部分と屋外側寄り部分との間に横空間６ａを構成している。
【００１９】
図３に示すように、縦目地２の屋外側寄りが屋外側縦シール材７で水密される。例えば左右に隣接したパネルユニット１の第１・第２縦材１２，１３間の屋外側寄りに亘って屋外側縦シール材７が設けてある。この屋外側縦シール材７の左右両側部分が第１縦材１２、第２縦材１３の屋外側寄り外面に接触し、この屋外側縦シール材７で縦目地２の屋外側寄り部分を水密している。
そして、前記縦目地２の屋内側寄り部分と屋外側寄り部分との間に縦空間６ｂを形成している。
【００２０】
前記屋外側縦シール材７は定形で弾性を有したシール材で、左右に隣接したパネルユニット１の面内方向、面外方向の位置ずれに追従して面内方向、面外方向に弾性的に伸縮変形し、常時第１・第２縦材１２，１３に接触し続けて縦目地２の屋外側寄り部分を水密できるようにしてある。
このようであるから、左右に隣接したパネルユニット１が面内方向、面外方向に位置ずれした時に、縦目地２の水密性が低下することがない。
【００２１】
この実施の形態では、前記屋外側縦シール材７は弾性を有し、一側シール片２０と他側シール片２１を備えた定形シール材である。好ましくは一側シール片２０と他側シール片２１を湾曲した連結片、例えばＵ字状の連結片２２で一体的に連結した横断面ほぼＭ字形状で、その連結片２２を境として一側シール片２０と他側シール片２１が面内方向及び面外方向に伸縮変形する。
前記第１縦材１２、第２縦材１３の屋外側寄りに凹部２３，２４が形成してあり、その第１縦材１２の凹部２３と第２縦材１３の凹部２４は相対向している。
この凹部２３，２４は底面２３ａ，２４ａと屋内側内面２３ｂ，２４ｂと屋外側内面２３ｃ，２４ｃで面内方向に向かうコ字形状である。
【００２２】
前記第１縦材１２の凹部２３内に一側シール片２０が押し込められて凹部２３の内面に接触している。例えばその一側シール片２０の自由端部２０ａが凹部２３の底面２３ａと屋外側内面２３ｃに接触し、連結端部２０ｂが屋内側内面２３ｂに接触している。
前記第２縦材１３の凹部２４内に他側シール片２１が押し込められて凹部２４の内面に接触している。例えば、その他側シール片２１の自由端部２１ａが凹部２４の底面２４ａと屋外側内面２４ｃに接触し、連結端部２１ｂが屋内側内面２４ｂに接触している。
そして、連結片２２が押されて面内方向に収縮変形する。
【００２３】
このようであるから、第１縦材１２と第２縦材１３が面内方向に位置ずれして離隔した時には連結片２２が弾性復元力で面内方向に伸び変形して一側・他側シール片２０，２１の自由端部２０ａ、２１ａが凹部２３，２４の底面２３ａ，２４ａに接触し続けると共に、その連結端部２０ｂ，２１ｂが屋内側内面２３ｂ，２４ｂに接触し続ける。この時、一側・他側シール片２０，２１が面内方向に伸び変形するようにしても良い。
また、第１縦材１２と第２縦材１３が面内方向に位置ずれして接近した時には、前述とは反対に連結片２２が面内方向に収縮変形して一側・他側シール片２０，２１の自由端部２０ａは各凹部２３，２４の底面２３ａ，２４ａに接触し続けることができる。この時、一側・他側シール片２０，２１が面内方向に収縮変形するようにしても良い。
したがって、左右に隣接したパネルユニット１が面内方向に位置ずれした時に縦目地２の屋外側寄り部分の水密性が低下することがない。
【００２４】
左右に隣接したパネルユニット１が面外方向に位置ずれして、その一方が屋外側、他方が屋内側に移動した時には、連結片２２が面内方向に弾性変形し、一側シール片２０の自由端部２０ａ、連結端部２０ｂが凹部２３の屋外側内面２３ｃ、屋内側内面２３ｂに接触し続けると共に、他側シール片２１の自由端部２１ａ、連結端部２１ｂが凹部２４の屋外側内面２４ｃ、屋内側内面２４ｂに接触し続ける。
したがって、左右に隣接したパネルユニット１が面外方向に位置ずれした時に縦目地２の屋外側寄り部分の水密性が低下することがない。
【００２５】
前記屋外側縦シール材７は、パネルユニット１を左右に隣接して建物躯体に取付けた後に、その左右に隣接したパネルユニット１の上部から下に向けて移動することで取付けできる。
つまり、前記第１・第２縦材１２，１３の凹部２３，２４は、図２に示すように上横材１０の屋外側面１０ａよりも屋外側に張り出しており、パネルユニット１を左右に隣接して建物躯体に取付けた状態において、その凹部２３，２４は上横材１０よりも屋外側に位置するので、上横材１０が邪魔にならずに凹部２３，２４内に屋外側縦シール材７を上から下に向けて挿入して取付けできる。
【００２６】
図２、図３に示すように、前記屋外側縦シール材７の屋外側面７ａと各凹部２３，２４の屋外側内面２３ｃ，２４ｃとの間に屋外側縦排水空間２５をそれぞれ形成し、縦目地２内に屋外側から浸入した雨水等は屋外側縦シール材７で水密されて前述の屋外側縦排水空間２５に沿って流れ落ちる。
図２に示すように、左右に隣接したパネルユニット１の上部間に排水用のキャッチパン３０が取付けてある。
前記屋外側縦排水空間２５に沿って流れ落ちた雨水等は、そのパネルユニット１の下に位置するパネルユニット１の前述のキャッチパン３０上に落下し、そのキャッチパン３０に沿って屋外側に排水される。
【００２７】
前記キャッチパン３０は図２〜図５に示すように、前記凹部２３，２４の上端部を閉塞する幅広い下部分３１と、この下部分３１の上部屋内側部と連続し上方に向かう幅狭い中間部３２と、この中間部３２の上部屋内側部と連続した幅広い上部分３３を備え、左右に隣接したパネルユニット１の上部から下に向けて移動することで取付けできる。
前記下部分３１の上面３１ａは屋外側が屋内側よりも下となるように傾斜面で、その下面３１ｂには一対の取付脚３４を備え、この取付脚３４を前記凹部２３，２４の上部に押し込むようにして嵌合することで、その下面３１ｂを第１・第２縦材１２，１３の凹部２３，２４を形成する部分の上面に接して取付けられる。
前記中間部３２は屋外側部から屋内側部に向けて順次傾斜した斜めとなり、左右に隣接したパネルユニット１の屋外側寄り縦面間に押し込んで取付けられる。
前記上部分３３は屋外側部から屋内側部に向けて順次階段形状に高くなった形状で、左右に隣接した上横材１０の屋外側寄り上面１０ｂ間に亘って接する。
【００２８】
この実施の形態では、前記上横材１０の屋外側寄り上面１０ｂにレインバリア８が上向きに装着されている。このレインバリア８は前述の屋内側シール材４と屋外側横シール材５との間に位置し、前述の横空間６ａ内に位置している。
そして、キャッチパン３０の上部分３３は左右に隣接したレインバリア８間に亘って接している。
また、図５に示すように屋外側縦シール材７とキャッチパン３０の下部分３１が一体的に連結され、その屋外側縦シール材７とキャッチパン３０を同時に取付けできるようにしてある。なお、別体としても良い。
【００２９】
図２に示すように、上横材１０における屋内側シール材４とレインバリア８との間の中間上面１０ｃは、他の面よりも凹んでいる。
そして、図６に示すように左右に隣接した上横材１０の中間上面１０ｃ間に亘ってキャッチパン兼等圧区画材４０が取付けてある。
この区画材４０は図６に示すように、横片４１と屋内側立上り片４２と中間立上り片４３と屋外側突出部材４４を備え、その横片４１が左右の上横材１０の中間上面１０ｃに亘って接し、屋内側立上り片４２が左右の屋内側シール材４に亘って接すると共に、中間立上り片４３が左右のレインバリア８に接することで前記横空間６ａを密閉空間としている。
この実施の形態では、前述の横空間６ａは屋外側横シール材５の切欠部で屋外に開口連通して大気と等圧となっている。
【００３０】
前記屋外側突出部材４４は、前記屋外側縦シール材７の連結片２２の屋内側面まで突出し、前記区画材４０に落下した雨水等は図６に示すように、屋外側突出部材４４に沿って流れて前記凹部２３，２４に沿って流れて前記凹部２３，２４の屋内側内面２３ｂ，２４ｂと屋外側縦シール材７の屋内側面７ｂとの間に沿って流れ落ちる。
この雨水等は図７に示すように、前述のキャッチパン３０の下部分３１に沿って屋外側に排出される。
【００３１】
図３に示すように、第１縦材１２の屋内外側方向中間には中間縦シール材９が装着してある。この中間シール材９は第２縦材１３の屋内外側方向中間に接している。
前記中間シール材９は図７に示すように、キャッチパン３０の上部分３３に接している。
【００３２】
図２に示すように、下横材１１の屋外側部には垂下片１６が設けてある。この垂下片１６が下のパネルユニット１の上横材１０よりも下方まで延出して上横材１０の屋外側面１０ａと対向し、前述の横目地３の屋外側部を垂下片１６で覆っている。
このようにすることで、下のパネルユニット１と上のパネルユニット１を直線状ではなく、くの字形状として建物躯体に取付けてカーテンウォールの表面を垂直に対して斜めに傾斜した場合に、下のパネルユニット１の上横材１０と上のパネルユニット１の下横材１１との間の部分（横目地６）が垂下片１６で覆われるので、雨水等が横目地６に直接入り込むことがない。
【００３３】
次に、各部材の具体形状を説明するが、各部材はその形状に限ることはない。
前記上横材１０は図２に示すように、本体５０の室外側部に押縁５１を取付けて屋外側に下向き凹部５２を有する形状で、押縁５１の上面が前述の屋外側上面１０ｂで、押縁５１の屋外側面が前述の屋外側面１０ａである。
前記下向き凹部５２に面材１５の上縁部が装着してある。
前記下横材１１は図２に示すように、本体５３の室外側部に押縁５４を取付けて屋外側に上向き凹部５５を有する形状で、その押縁５４に前述の垂下片１６が一体的に設けてある。
この上向き凹部５５に面材１５の下縁部が装着してある。
前記上横材１０、下横材１１（垂下片１６を除く）は面外方向の寸法がほぼ同一である。
【００３４】
前記第１縦材１２と第２縦材１３は、屋内側板状部６０と中間コ字状部６１と屋外側板状部６２を有し、その中間コ字状部６１で内向き凹部６３を形成している。
前記屋外側板状部６２は中間外向片６４と屋外側外向片６５を有し、その中間外向片６４と中間コ字状部６１で凹部２３，２４を形成していると共に、その中間外向片６４よりも屋外側部分でゴンドラガイドを形成している。
前記第１縦材１２の中間外向片６４は鉤形に折曲し、その端部が第２縦材１３の中間外向片６４とオーバーラップしている。
前記第１・第２縦材１２，１３の中間コ字状部６１の屋外側部が上横材１０、下横材１１の屋外側面とほぼ面一で、その凹部２３，２４が上・下横材１０，１１の屋外側面よりも屋外側に張り出している。
【図面の簡単な説明】
【００３５】
【図１】本発明の実施の形態を示すカーテンウォールの一部外観図である。
【図２】図１のＡ−Ａ拡大詳細断面図である。
【図３】図１のＢ−Ｂ拡大詳細断面図である。
【図４】排水用のキャッチパンを取付けた状態を示す左右のパネルユニットの上部斜視図である。
【図５】排水用のキャッチパンと屋外側縦シール材の斜視図である。
【図６】キャッチパン兼等圧区画材の取付け状態を示す斜視図である。
【図７】上下・左右のパネルユニットの縦目地部分の斜視図である。
【符号の説明】
【００３６】
１…パネルユニット、２…縦目地、３…横目地、４…屋内側シール材、７…屋外側縦シール材、１０…上横材、１１…下横材、１２…第１縦材、１３…第２縦材、１４…枠体、１５…面材、２０…一側シール片、２１…他側シール片、２２…連結片、２３…凹部、２４…凹部、３０…キャッチパン、３１…下部分、３２…中間部分、３３…上部分。
【図１】
2007063845.tif 000003
【図２】
2007063845.tif 000004
【図３】
2007063845.tif 000005
【図４】
2007063845.tif 000006
【図５】
2007063845.tif 000007
【図６】
2007063845.tif 000008
【図７】
2007063845.tif 000009